(57)【要約】【課題】ＳＦＮ波が存在する受信環境において、受信機でその存在を確認するためには、簡易な回路構成ではなく複雑な回路構成が必要となり、その実現に大きな製造コストを必要とすること。【解決手段】主となる放送波と同一周波数で送信される複数のＳＦＮとのガード相関を検出し、検出されたガード相関をもとにＦＦＴ窓位置を適切に制御するとともに、これらの制御によって得られたＦＦＴ窓位置情報を数値化し出力する手段と、出力されたＦＦＴ窓位置情報を演算し、表示する手段を備える。【選択図】図１
2008109359.tif 000002
【特許請求の範囲】
【請求項１】
主となる放送波と同一周波数で送信される複数のＳＦＮとのガード相関を検出し、検出されたガード相関をもとにＦＦＴ窓位置を適切に制御するとともに、これらの制御によって得られたＦＦＴ窓位置情報を数値化し出力する手段と、出力されたＦＦＴ窓位置情報を演算し、表示する手段を具備するＯＦＤＭ受信装置。
【請求項２】
主となる放送波と同一周波数で送信される複数のＳＦＮ波とのガード相関を検出し、検出されたガード相関をもとにＦＦＴ窓位置を受信された信号のエラーが最小になるようにフィードバック制御するとともに、これらの制御によって得られたＦＦＴ窓位置情報を数値化し出力する手段と、出力されたＦＦＴ窓位置情報を演算し、表示する手段を具備するＯＦＤＭ受信装置。
【請求項３】
主となる放送波と同一周波数で送信される複数のＳＦＮ波とのガード相関を検出し、検出されたガード相関をもとにＦＦＴ窓位置を適切に制御するとともに、これらの制御によって得られたＦＦＴ窓位置情報を数値化し出力する手段と、ＳＦＮ波と主となる放送波との遅延量がガードインターバルと比較し十分小さい場合にはＦＦＴ窓位置情報が一定の範囲内で変動し、遅延量がガードインターバルと比較し大きい場合には一定値となる特性をもとに演算し、ＳＦＮ波の存在を表示する手段を具備するＯＦＤＭ受信装置。
【請求項４】
主となる放送波と同一周波数で送信される複数のＳＦＮ波とのガード相関を検出し、検出されたガード相関をもとにＦＦＴ窓位置を受信された信号のエラーが最小になるようにフィードバック制御するとともに、これらの制御によって得られたＦＦＴ窓位置情報を数値化し出力する手段と、ＳＦＮ波と主となる放送波との遅延量がガードインターバルと比較し十分小さい場合にはＦＦＴ窓位置情報が一定の範囲内で変動し、遅延量がガードインターバルと比較し大きい場合には一定値となる特性をもとに演算し、ＳＦＮ波の存在を表示する手段を具備するＯＦＤＭ受信装置。
【請求項５】
ＳＦＮ波が存在する場合には、画像に表示されたインジケータの色が変化することを特徴とする請求項３に記載のＯＦＤＭ受信装置。
【請求項６】
ＳＦＮ波が存在する場合には、画像に表示されたインジケータの色が変化することを特徴とする請求項４に記載のＯＦＤＭ受信装置。
【請求項７】
ＳＦＮ波が存在する場合には、画像に表示された少なくとも３分割された一連のインジケータの色が変化し、且つ遅延波が主となる放送波よりも時間的に早く到達する場合には中心より左側に位置するインジケータが強調され、遅延波が主となる放送波よりも時間的に遅く到達する場合には中心よりも右側に位置するインジケータが強調されることを特徴とする請求項３に記載のＯＦＤＭ受信装置。
【請求項８】
ＳＦＮ波が存在する場合には、画像に表示された少なくとも３分割された一連のインジケータの色が変化し、且つ遅延波が主となる放送波よりも時間的に早く到達する場合には中心より左側に位置するインジケータが強調され、遅延波が主となる放送波よりも時間的に遅く到達する場合には中心よりも右側に位置するインジケータが強調されることを特徴とする請求項４に記載のＯＦＤＭ受信装置。
【発明の詳細な説明】
【技術分野】
【０００１】
本発明はＢＳ、地上波等の放送を受信するＴＶ、ＳＴＢ（セット・トップ・ボックス）、ハードディスクおよびＤＶＤレコーダーなどのＯＦＤＭ受信装置（国際特許分類  Ｈ０４Ｂ  １／１６，１／１８）に関するものである。
【背景技術】
【０００２】
近年、放送のデジタル化が世界的に進展し、欧州ではＯＦＤＭを用いたＤＶＢ−Ｔ方式対応受信機がＴＶの薄型化を伴い急速に普及しており、国内においても欧州と同じく、ＯＦＤＭを用いたＩＳＤＢ−Ｔ方式の地上波デジタル放送が２００３年に開始され、２００６年には全世帯の８０％以上をカバーする予定となっており、ＯＦＤＭの大きな特徴である同一周波数による中継局構成、所謂ＳＦＮ（Ｓｉｎｇｌｅ  Ｆｒｅｑｕｅｎｃｙ  Ｎｅｔｗｏｒｋ）の運用により周波数の有効利用を図るべく中継局の拡充が進められているのが現状である。
【０００３】
従来、異なる複数の中継所から同一周波数にて送信されるＳＦＮ波の存在を確認するには図３に示す特許文献１のように、予め決められたキャリア位置に振幅・位相等化用のパイロット信号が配置されたデジタルベースバンドのＯＦＤＭ信号をＦＦＴ処理するＦＦＴ手段と、この手段のＦＦＴ出力から前記パイロット信号を抽出するパイロット信号抽出手段と、この手段で抽出されたパイロット信号から入力信号の振幅周波数特性及び位相周波数特性を推定する特定推定手段と、この手段で推定された特性値をＩＦＦＴ処理し、振幅値及び位相値を検出するＩＦＦＴ手段を具備することが必要であった。
【０００４】
しかしながら、これらの方式は業務用測定器を前提とした複雑な回路構成のため、ＴＶやＳＴＢ等の民生用機器で実現するには大きなコストアップが必要であった。
【特許文献１】特開２０００−１１５０８７号公報
【発明の開示】
【発明が解決しようとする課題】
【０００５】
解決しようとする問題点は、ＳＦＮの存在を確認するためには、複雑な回路構成とその実現に大きな製造コストを要する点である。
【課題を解決するための手段】
【０００６】
本発明は上記の問題を解決し、特別な回路の追加を必要とすることなくＳＦＮ波の存在を確認可能なＯＦＤＭ受信装置を安価に提供することを特徴とする。
【発明の効果】
【０００７】
本発明のＯＦＤＭ受信装置は、ＩＦＦＴ等の特別な回路を必要とせず簡単な構成でＳＦＮ波の存在を確認できるため、受信障害発生時にＯＦＤＭ受信装置の故障かＳＦＮ波によるアンテナ調整を含む受信システムの問題かを容易に切り分けることができる安価なＯＦＤＭ受信装置を提供できるという利点がある。
【発明を実施するための最良の形態】
【０００８】
ＳＦＮが運用されている受信環境において、ＳＦＮ波と主たる放送波とのガード相関を用いたＦＦＴ窓位置情報に簡単な演算を行い、表示することによってＳＦＮの存在を確認する目的を、特別な回路を必要としない簡易な方法で実現した。
【０００９】
（実施の形態１）
図１は本発明のＯＦＤＭ受信装置の１実施例を示すブロック図である。図１において、１は選局回路、２はＡＤコンバータ、３はＡＦＣ回路、４は同期回路、５はＦＦＴ回路、６は誤り訂正回路、７はシステムＬＳＩ、８は演算回路、９は表示回路である。
【００１０】
図２は本発明のＯＦＤＭ受信装置の画像表示を示す概略図である。図２において、
１０はＯＦＤＭ受信装置本体、１１は表示画面、１２〜１４はＦＦＴ窓位置インジケータであり、１２はＳＦＮ波の遅延がガードインターバル（以下Ｔｇと略す）よりも十分小さい場合のＦＦＴ窓位置インジケータ表示、１３はＳＦＮ波の遅延が−Ｔｇよりも小さい場合のＦＦＴ窓位置インジケータ表示、１４はＳＦＮ波の遅延が＋Ｔｇよりも大きい場合のＦＦＴ窓位置インジケータ表示である。
【００１１】
以上のように構成される受信装置の動作について、以下、説明する。
【００１２】
ＵＨＦなどの高周波信号で送信されるＳＦＮ波を含む放送波は、選局回路１で周波数変換されＡＤコンバータ２によってデジタル信号に変換される。デジタル信号に変換されたＳＦＮ波を含む放送波はＡＦＣ回路３で周波数変動を抑制され、同期回路４によってＯＦＤＭシンボルに同期すると共に、主たる放送波とＳＦＮ波とのガード相関より、最良の受信品質が得られるようにＦＦＴ窓位置を決定する。ここでは、一例としてＳＦＮ波が主たる放送波より早く到達する場合とＳＦＮ波が主たる放送波よりも遅く到達する場合の全てのケースで、８段階（０〜７）のＦＦＴ窓位置設定が可能として説明する。
【００１３】
まず、ＳＦＮ波の主たる放送波に対する遅延が、Ｔｇ（ここでは１例として１２６μｓｅｃとする）よりも十分に小さい場合には、（例えば±５０μｓｅｃ）ＦＦＴ窓位置は０〜７の全ての段階で受信性能を確保できるため、一定の値を取らず常時変化しているが、ＳＦＮ波が主たる放送波に対してＴｇと同等の遅延量（−１２６μｓｅｃ）で到達する場合にはＦＦＴ窓位置は０が受信性能最適となり、同じく遅延量が＋１２６μｓｅｃの場合にはＦＦＴ窓位置として７が受信性能最適として選択される。
【００１４】
そこで、本実施例ではＳＦＮ波の主たる放送波に対する遅延がＴｇと比較し十分小さい場合にはＦＦＴ窓位置の読み値を平均する等の簡単な演算を行い、図２のＦＦＴ窓位置インジケータ表示１２に示すようにＦＦＴ窓位置インジケータの表示位置及び表示色を決定する。同様にＳＦＮ波の主たる放送波に対する遅延が−Ｔｇよりも小さい場合にはＦＦＴ窓位置を０とする場合が最適となるためＦＦＴ窓位置インジケータ表示１３に示すようにＦＦＴ窓位置インジケータの表示位置及び表示色を決定する。同じくＳＦＮ波の主たる放送波に対する遅延が＋Ｔｇよりも大きい場合にはＦＦＴ窓位置を７とする場合が最適となるためＦＦＴ窓位置インジケータ表示１４に示すようにインジケータの表示位置及び表示色を決定する。ここで、ＦＦＴ窓位置インジケータ１３及びＦＦＴ窓位置インジケータ１４の表示色は、ＳＦＮ波の遅延量が−Ｔｇ以下または＋Ｔｇ以上の場合、受信性能劣化の可能性を促すため、ＳＦＮ波の遅延量が±Ｔｇ以内に十分収まっている場合と異なる表示色としている。
【００１５】
本実施例において、ＦＦＴ窓位置の設定可能範囲を８段階として説明したが、設定可能範囲、分解能を上げても同様の効果が得られることは言うまでもない。また、演算方法も単なる平均以外に適切な近似式を用いることも可能であり、表示方法についても横型のレベルバー表示以外の円形、縦型などの他の形状を用いても同様の効果が得られることは言うまでも無い。
【産業上の利用可能性】
【００１６】
以上のように、本発明にかかるＯＦＤＭ受信装置は、ＳＦＮが運用されている受信エリアで受信障害が発生した場合に、その原因が不適切なアンテナ設置を含む受信システムの要因かＯＦＤＭ受信装置の故障かを容易に切り分けが可能な機能を備えた安価なＯＦＤＭ受信装置を提供できるという利点を有し、地上波デジタル放送を受信するＴＶ、ＳＴＢ（セット・トップ・ボックス）、ハードディスクおよびＤＶＤレコーダーなどのＯＦＤＭ受信装置として有用である。
【図面の簡単な説明】
【００１７】
【図１】本発明の受信装置の構成を示す図
【図２】本発明のＯＦＤＭ受信装置の画像表示を示す概略図
【図３】従来の受信装置の構成を示す図
【符号の説明】
【００１８】
１    選局回路
２    ＡＤコンバータ
３    ＡＦＣ回路
４    同期回路
５    ＦＦＴ回路
６    誤り訂正回路
７    システムＬＳＩ
８    演算回路
９    表示回路
１０    ＯＦＤＭ受信装置本体
１１    表示画面
１２    ＦＦＴ窓位置インジケータ
１３    ＦＦＴ窓位置インジケータ
１４    ＦＦＴ窓位置インジケータ
【図１】
2008109359.tif 000003
【図２】
2008109359.tif 000004
【図３】
2008109359.tif 000005